(57)【要約】【課題】放送番組中でニュース速報が放送されていても、その際に、放送番組を視聴せずにビデオ等の記録媒体に記録されている映像等を視聴している場合には、テレビ画面等には記録されている映像等のみが表示されている状態であるため、ニュース速報が表示されず重要なニュースを見逃してしまうという問題があった。【解決手段】放送波を受信しながらコンテンツを出力することが可能なコンテンツ出力装置であって、受信した放送波にニュース速報が含まれていることを検出した場合には、ニュース速報を構成する速報データを分離抽出し、出力されているコンテンツに重畳して出力するコンテンツ出力装置を提案する。【選択図】図１
2007295439.tif 000002
【特許請求の範囲】
【請求項１】
放送波を受信する受信部と、
受信した放送波からニュース速報を構成する速報データを検出し、分離抽出する検出分離抽出部と、
コンテンツを出力するコンテンツ出力部と、
出力されているコンテンツに分離抽出した速報データに基づいて構成されるニュース速報を重畳出力する重畳出力部と、
を有するコンテンツ出力装置。
【請求項２】
コンテンツ出力部から出力するコンテンツを蓄積するコンテンツ蓄積部を有し、
前記受信部、検出分離抽出部、及び重畳出力部は、コンテンツ出力部が蓄積されたコンテンツを出力している場合でも動作する請求項１に記載のコンテンツ出力装置。
【請求項３】
受信部は、複数の放送波を受信可能であり、
検出分離抽出部は、複数の放送波ごとに速報データを検出し、分離抽出可能である請求項１又は２に記載のコンテンツ出力装置。
【請求項４】
ニュース速報を含む放送波を受信し、このコンテンツをコンテンツ出力部が出力している場合には、重畳出力部は、この放送波から分離抽出された速報データの重畳を行なわない請求項３に記載のコンテンツ出力装置。
【請求項５】
重畳出力部に代えて、分離抽出した速報データに基づいて構成されるニュース速報をコンテンツ出力部とは独立に出力する独立出力部を有する請求項１から４のいずれか一に記載のコンテンツ出力装置。
【請求項６】
自身を待機電源モードとすることが可能な待機電源管理部を有し、
受信部と、検出分離抽出部とは、待機電源モードでも動作状態となるように構成されている請求項１から５のいずれか一に記載のコンテンツ出力装置。
【請求項７】
放送波を受信する受信ステップと、
受信した放送波からニュース速報を構成する速報データを検出し、分離抽出する検出分離抽出ステップと、
コンテンツを出力するコンテンツ出力ステップと、
出力されているコンテンツに分離抽出した速報データに基づいて構成されるニュース速報を重畳出力する重畳出力ステップと、
を有するコンテンツ出力装置の動作方法。
【請求項８】
重畳出力ステップに代えて、分離抽出した速報データに基づいて構成されるニュース速報をコンテンツの出力とは独立に出力する独立出力ステップを有する請求項７に記載のコンテンツ出力装置の動作方法。
【発明の詳細な説明】
【技術分野】
【０００１】
本発明は、コンテンツを再生中に、受信した放送波にニュース速報が含まれていた場合にはコンテンツにニュース速報を重畳して出力することを特徴とするコンテンツ出力装置に関する。
【背景技術】
【０００２】
テレビ放送番組等の放映中に、いわゆるニュース速報が放送されることがある。ニュース速報は放送時点において社会的に重要なニュースであるが故に、即時性を重視して放送されるものである。
【０００３】
ところで、ニュース速報が放送される際にテレビ放送番組をビデオ、ＤＶＤ、ハードディスク等の記録媒体に記憶している場合には、通常、放送番組と共にニュース速報も記録されることとなる。しかしながら、例えば、ある程度の時間が経過した後に記録されている放送番組を視聴中に記録当時のニュース速報が表示されても、有益性を欠き、むしろ視聴の邪魔になる等の不都合があった。特許文献１は、このような問題に鑑み、録画された映像の再生時にニュース速報等の表示を非表示にしたりアイコンにて表示することが可能な画像処理装置が開示されている。
【特許文献１】特開２００２−７７７８９号公報
【発明の開示】
【発明が解決しようとする課題】
【０００４】
一方、放送番組中でニュース速報が放送されていても、その際に、放送番組を視聴せずにビデオ等の記録媒体に記録されている映像等を視聴している場合には、テレビ画面等には記録されている映像等のみが表示されている状態であるため、ニュース速報が表示されず重要なニュースを見逃してしまうという問題があった。
【課題を解決するための手段】
【０００５】
そこで、本発明においては、受信した放送波にニュース速報が含まれていることを検出した場合には、ニュース速報を構成する速報データを分離抽出し、出力されているコンテンツに重畳して出力するコンテンツ出力装置を提案する。図１に本発明の概要を例示する。まず、コンテンツ出力装置の出力画面等において、ビデオ等の記録媒体に記録されているコンテンツ（０１０１）を視聴していたとする。その際、受信している放送番組等にてニュース速報が放送されたとする（０１０２）。このような場合、受信した放送波からニュース速報の速報データを分離抽出して、視聴中のコンテンツに重畳して（０１０３）出力する。これにより、ビデオ等の記録媒体に記録されている映像等を視聴している場合であってもニュース速報を見逃すことがない。
【０００６】
また、複数の放送波を受信可能である場合には、ニュース速報が含まれている放送波と含まれていない放送波が混在している可能性もあり、例えば視聴中の放送番組等にはニュース速報が放送されないが他の受信中の放送波にてニュース速報が放送されている場合には、他の受信中の放送波から速報データを分離抽出して、視聴中の放送番組等にニュース速報を重畳して出力するようになっていてもよい。また、通常、ニュース速報の内容は複数の放送波においてほぼ同じ内容であるため、視聴中の放送番組等にニュース速報が放送されている場合には、他のニュース速報を重畳出力する必要性は低いと思われる。よって、このような場合にはニュース速報を重畳出力する処理は行なわないようになっていてもよい。また、抽出したニュース速報を出力しているコンテンツと独立に出力するようになっていてもよい。また、コンテンツ出力装置が待機電源モードとなっている場合には、受信している放送波にニュース速報が含まれていることを検出した場合には、例えばコンテンツ出力装置の電源を通常状態として画面等に出力されるコンテンツにニュース速報を重畳して出力する等となっていてもよい。
【発明の効果】
【０００７】
本発明のコンテンツ出力装置によれば、記録媒体に記録されているコンテンツやニュース速報を含まない放送番組等を視聴中であっても、他の受信中の放送波にニュース速報が含まれている場合には、視聴中のコンテンツ等にニュース速報を重畳して出力することが可能であるので、ニュース速報を見落としてしまう心配がない。
【発明を実施するための最良の形態】
【０００８】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、７などについて説明する。実施形態２は、主に請求項２などについて説明する。実施形態３は、主に請求項３などについて説明する。実施形態４は、主に請求項４などについて説明する。実施形態５は、主に請求項５、８などについて説明する。実施形態６は、主に請求項６などについて説明する。
（実施形態１）
【０００９】
（実施形態１：概要）本実施形態は、受信した放送波にニュース速報が含まれていることを検出した場合には、ニュース速報を構成する速報データを分離抽出し、出力されている（ニュース速報を含まない）コンテンツに重畳して出力するコンテンツ出力装置について説明する。
【００１０】
（実施形態１：構成）本実施形態に係るコンテンツ出力装置の機能ブロック図を図２に例示する。コンテンツ出力装置（０２００）は、「受信部」（０２０１）と、「検出分離抽出部」（０２０２）と、「コンテンツ出力部」（０２０３）と、「重畳出力部」（０２０４）と、を有する。コンテンツ出力装置（０２００）は、放送波を受信し、コンテンツを出力可能な電子機器である。具体的には、例えば、デジタルテレビ、パーソナルコンピュータ、携帯電話、等が該当する。
【００１１】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図１６は一般的なコンピュータの構成を例示する図でありコンピュータが主にＣＰＵ（１６１０）、入出力インタフェース（Ｉ／Ｏ）（１６２０）、ＨＤＤ（１６３０）、一時記憶メモリ（ＲＡＭ）（１６４０）、ＲＯＭ（１６５０）等から構成されることを示しているが、本件発明に係るコンテンツ出力装置は図１６と同様の構成により実現可能である。（明細書の全体を通じて同様である。）
【００１２】
「受信部」（０２０１）は、放送波を受信する機能を有する。「放送波」とは、放送番組等の映像データ、音声データ、データ放送用データ等を含み、さらにニュース速報を構成する速報データを含む場合がある。また、放送波に速報データが含まれているか否かを示す情報が含まれていてもよい。図３に、受信部にて受信する放送波の一例を示す。受信部は、例えば放送番組等の映像データや音声データ（０３０１）と速報データ（０３０２）や、放送波に速報データが含まれているか否かを示す情報（０３０３）が含まれている放送波を受信する。「速報データが含まれているか否かを示す情報」とは、例えば「ｎｅｗｓ＿ｆｌａｇ＝１」というようなデータである。ここで、「ｎｅｗｓ＿ｆｌａｇ」はプログラム上の変数であり、この値が１であれば放送波に速報データが含まれていることを表し、この値が０であれば放送波に速報データが含まれていないことを表す。
【００１３】
また、「放送」は、アナログテレビ放送、デジタルテレビ放送、インターネット放送、等が該当する。「放送波を受信する」とは、具体的には、例えば、アンテナやネットワークカード等を介して放送波を受信することである。受信部は、具体的には、主にチャンネルを選局し、検出分離抽出部（０２０２）やコンテンツ出力部（０２０３）にて処理可能であるように復調してデータを整形する。また、受信部の具体例の一つとして、図１７にデジタル放送波の受信処理の概要を示す。まず、アンテナにてデジタル放送信号を受信し（１７０１）、受信した放送信号に復調等の処理を行ないＭＰＥＧ（Ｍｏｖｉｎｇ  Ｐｉｃｔｕｒｅ  Ｅｘｐｅｒｔｓ  Ｇｒｏｕｐ）−２のＴＳ（Ｔｒａｎｓｐｏｒｔ  Ｓｔｒｅａｍ）が出力される（１７０２）。出力されたＴＳは、オーディオストリーム（ＡＳ）、ビデオストリーム（ＶＳ）、セクションデータ（Ｓ）に分離される（１７０３）。さらに、分離されたオーディオストリーム（ＡＳ）、ビデオストリーム（ＶＳ）、セクションデータ（Ｓ）はそれぞれ別々にデコード（復号）処理され解析される（１７０４）。受信部の処理は、具体的には主に図１７における放送信号の受信（１７０１）と復調処理（１７０２）が該当する。また、さらに、ＴＳの分離処理（１７０３）まで行なわれるようになっていてもよい。また、受信部はこのような処理をＣＰＵに実行させるためのプログラムを含んでいてもよい。
【００１４】
「検出分離抽出部」（０２０２）は、受信した放送波からニュース速報を構成する速報データを検出し、分離抽出する機能を有する。「ニュース速報」とは、映像、音声、又は映像と音声の両方によって実現されてもよい。すなわち、速報データは静止画データ、動画データ、文字データ、音声データ等が該当する。さらに具体的には、例えば、放送波がデジタル放送波であれば、ニュース速報はＭＰＥＧ−２のＴＳに含まれているセクションデータによって実現されてもよい。また、「ニュース速報」は、いわゆる「ニュース」に限らずとも他の情報であってもよい。例えば、他のチャンネルにて野球中継が放送されている場合等では、視聴中のコンテンツに試合のスコア状況が重畳される等となっていると便利である。また、変数ｎｅｗｓ＿ｆｌａｇの値もセクションデータによって実現されてもよい。「速報データを検出する」とは、例えば、変数ｎｅｗｓ＿ｆｌａｇの値が１であることを検出することが該当する。また、例えば放送番組等の映像データとニュース速報の映像データが混在して受信される場合等では、速報データに特定の識別子が付与されていることにより、他の映像データと分離できる等となっていてもよい。
【００１５】
図４は、検出分離抽出部における処理の具体例を示す。まず、変数ｎｅｗｓ＿ｆｌａｇの値が１であるか否かを調べる。変数ｎｅｗｓ＿ｆｌａｇの値が１である場合、放送番組等の映像データや音声データ等と速報データが混在している放送波（０４０１）から速報データ（０４０２）を分離抽出する。検出分離抽出部は、具体的には、例えば一時記憶メモリ等の所定の記憶領域に記憶されている変数ｎｅｗｓ＿ｆｌａｇの値を読み出す。読み出した変数ｎｅｗｓ＿ｆｌａｇの値と１を比較し、比較した結果を一時記憶メモリ等の所定の記憶領域に格納する。さらに、比較結果を一時記憶メモリ等の所定の記憶領域から読み出し、読み出した比較結果が等しいとの比較結果である場合には、さらに一時記憶メモリ等の所定の記憶領域から速報データを読み出す。また、検出分離抽出部はこのような処理をＣＰＵに実行させるためのプログラムを含んでいてもよい。
【００１６】
「コンテンツ出力部」（０２０３）は、コンテンツを出力する機能を有する。「コンテンツ」とは、映像や音声、音楽等を含み、さらに、文字情報、アプリケーションプログラム、またはそれらの複合形で表現される情報等を含むものを意味する。具体的には、例えば、テレビ番組、ＥＰＧ等のテレビ番組情報、データ放送、ネットワーク上にて配信される動画コンテンツや静止画コンテンツ、ストリーミング等が該当する。また、コンテンツ出力部にて出力されるコンテンツは、前記受信部（０２０１）にて受信された放送波に含まれるコンテンツであってもよいし、ビデオ、ＤＶＤ、ハードディスク等の記録媒体に記録されたコンテンツであってもよい。また、「出力」とは、映像のみ、音声のみ、又は映像と音声の両方の出力が想定される。コンテンツ出力部の具体的な処理としては、例えば、ビデオ等の記録媒体から記録されている映像データ等を読み出し、一時記憶メモリ等の所定の記憶領域に格納する。さらに一時記憶メモリ等の所定の記憶領域から映像データ等は読み出され、グラフィックカード等に送られ画面等に出力される。また、コンテンツ出力部はこのような処理をＣＰＵに実行させるためのプログラムを含んでいてもよい。
【００１７】
「重畳出力部」（０２０４）は、出力されているコンテンツに分離抽出した速報データに基づいて構成されるニュース速報を重畳出力する機能を有する。「速報データに基づいて構成される」場合には、速報データの一部により構成されてもよいし、全部により構成されてもよい。速報データの一部によって構成される場合とは、例えば速報データがニュース速報の内容を表す映像データと音声データを含む場合に、ニュース速報を映像データのみ、又は音声データのみによって構成する場合等である。すなわち、「重畳出力」とは、例えば映像のみ、音声のみ、又は映像と音声の両方によって実現されているコンテンツに対して、映像のみ、音声のみ、又は映像と音声の両方を重ねて出力する場合等が想定される。また、「重畳」とは、映像と映像、又は音声と音声を重ね合わせて出力することを意味する。また、映像と音声を同時に出力することも含む。また、例えば音声どうしを重ねて出力する場合には、コンテンツの音声データの音量を一時的に小さくしてニュース速報の音声データを通常の音量にて出力する等となっていると、コンテンツの視聴者はよりニュース速報を聞き取りやすくなる。また、このようにコンテンツとニュース速報を重畳出力することにより、ニュース速報を確認するためにチャンネルを変更する必要がなく、コンテンツの視聴を継続しながらニュース速報を確認することが可能となる。ニュース速報は視聴者によっても重要度が異なり、例えば視聴者が子供であれば、子供にとって選挙結果等のニュース速報はさほど重要ではない。また、ニュースには地域性もあり、例えば遠隔地に関するニュースは視聴者によっては関心が薄い場合などもある。このようなニュース速報の特性を考慮すると、コンテンツの視聴を中断してチャンネルを変更してニュース速報を確認させるよりも、視聴中のコンテンツにニュース速報を重畳するほうがより視聴者の都合に則すものと思われる。
【００１８】
図５は、重畳出力部における処理の具体例を示す。まず、コンテンツ出力部（０５０２）にてコンテンツ（０５０５）が出力されているとする。また、コンテンツ出力中に検出分離抽出部（０５０１）にて速報データ（０５０４）が検出され、分離抽出されたとする。すると、重畳出力部（０５０３）にてコンテンツ（０５０５）に速報データ（０５０４）に基づいて構成されるニュース速報を重畳して出力する（０５０６）。重畳出力部の具体的な処理としては、例えば、一時記憶メモリ等の所定の記憶領域から読み出した速報データの一部又は全部と、グラフィックカードのグラフィックメモリ等の所定の記憶領域から読み出したコンテンツを、画像合成等して一時記憶メモリ等の所定の記憶領域に格納する。さらに画像合成等された映像データ等は所定の記憶領域から読み出されてグラフィックカード等に送られ、画面等に出力される。また、重畳出力部はこのような処理をＣＰＵに実行させるためのプログラムを含んでいてもよい。
【００１９】
（実施形態１：処理の流れ）図６は、本実施形態に係るコンテンツ出力装置における処理の流れを示すフロー図を例示する。
【００２０】
最初に、ステップＳ０６０１において放送波を受信する。この処理は、主に受信部によって実行される。次に、ステップＳ０６０２においてコンテンツを出力する。この処理は、主にコンテンツ出力部によって実行される。次に、ステップＳ０６０３において受信した放送波から速報データを検出したかを判断する。ここでの判断が検出したとの判断であった場合には、ステップＳ０６０４に移行する。ここでの判断が検出していないとの判断であった場合には、ステップＳ０６０３を繰り返す。この処理は、主に検出分離抽出部によって実行される。次に、ステップＳ０６０４において放送波から速報データを分離抽出する。この処理は、主に検出分離抽出部によって実行される。次に、ステップＳ０６０５においてコンテンツに速報データに基づいて構成されるニュース速報を重畳出力する。この処理は、主に重畳出力部によって実行される。
【００２１】
（実施形態１：効果）本実施形態に係るコンテンツ出力装置は、記録媒体に記録されているコンテンツやニュース速報を含まない放送番組等を視聴中であっても、他の受信中の放送波にニュース速報が含まれている場合には、視聴中のコンテンツ等にニュース速報を重畳して出力することが可能であるので、ニュース速報を見落としてしまう心配がない。
（実施形態２）
【００２２】
（実施形態２：概要）本実施形態は、コンテンツを出力する際に記録媒体等に蓄積されたコンテンツを出力することが可能なコンテンツ出力装置について説明する。
【００２３】
（実施形態２：構成）本実施形態に係るコンテンツ出力装置の機能ブロック図を図７に例示する。コンテンツ出力装置（０７００）は、「受信部」（０７０１）と、「検出分離抽出部」（０７０２）と、「コンテンツ出力部」（０７０３）と、「重畳出力部」（０７０４）と、「コンテンツ蓄積部」（０７０５）と、を有する。
【００２４】
「コンテンツ蓄積部」（０７０５）は、コンテンツ出力部（０７０３）から出力するコンテンツを蓄積する機能を有する。コンテンツ蓄積部は、具体的には、例えばハードディスク、ビデオ、ＤＶＤ等の記録媒体等が該当する。
【００２５】
また、前記受信部（０７０１）、検出分離抽出部（０７０２）、及び重畳出力部（０７０４）は、コンテンツ出力部（０７０５）が蓄積されたコンテンツを出力している場合でも動作することを特徴とする。すなわち、通常ＤＶＤ等を再生中は放送波を受信するためのチューナー等を動作させる必要性はないが、本実施形態に係るコンテンツ出力装置では、ＤＶＤ等を再生中にもチューナー等が動作することとなる。よって、例えば、コンテンツ出力装置の画面等にＤＶＤ等の記録媒体に記録されたコンテンツが出力されている際に、受信した放送波に速報データが含まれている場合には、出力されているコンテンツにニュース速報が重畳して出力される。
【００２６】
（実施形態２：処理の流れ）本実施形態に係るコンテンツ出力装置における処理の流れは実施形態１に係るコンテンツ出力装置における処理の流れと同様である。ただし、ステップＳ０６０２にてコンテンツを出力する際に、蓄積されているコンテンツを出力することを特徴とする。
【００２７】
（実施形態２：効果）通常、ＤＶＤ等の記録媒体に記録されているコンテンツを視聴中にはニュース速報は表示されないこととなり、ニュース速報を見落としてしまう恐れがあった。しかしながら、本実施形態に係るコンテンツ出力装置は、例えば記録媒体に記録されているコンテンツを視聴中であっても、受信中の放送波にニュース速報が含まれている場合には、視聴中のコンテンツにニュース速報を重畳して出力することが可能であるので、ニュース速報を見落としてしまう心配がない。
（実施形態３）
【００２８】
（実施形態３：概要）本実施形態は、コンテンツ出力装置が複数の放送波を受信可能であり、視聴中の放送番組等にはニュース速報が放送されないが他の受信中の放送波にてニュース速報が放送されている場合には、他の受信中の放送波から速報データを分離抽出して、視聴中の放送番組等にニュース速報を重畳して出力することが可能なコンテンツ出力装置について説明する。
【００２９】
（実施形態３：構成）本実施形態に係るコンテンツ出力装置の構成は、実施形態１又は２に係るコンテンツ出力装置の構成と同様である。ただし、受信部は、複数の放送波を受信可能であり、検出分離抽出部は、複数の放送波ごとに速報データを検出し、分離抽出可能である。
【００３０】
図８は、受信部と検出分離抽出部における処理の具体例を示す。例えば、受信部（０８０１）にて放送波Ａと放送波Ｂを受信しているとする。放送波Ａには、放送番組等の映像データや音声データ（０８０３）と「ｎｅｗｓ＿ｆｌａｇ＝０」の情報が含まれていたとする。また、放送波Ｂには、ニュース速報を含む放送番組等の映像データや音声データ（０８０４）と「ｎｅｗｓ＿ｆｌａｇ＝１」の情報が含まれていたとする。すると、検出分離抽出部（０８０２）では、放送波Ａに含まれていた「ｎｅｗｓ＿ｆｌａｇ＝０」の情報により放送波Ａには速報データは含まれていないことが判る。また、放送波Ｂに含まれていた「ｎｅｗｓ＿ｆｌａｇ＝１」の情報により放送波Ｂには速報データが含まれていることが判るため、放送波Ｂから速報データ（０８０５）を分離抽出する。なお、分離抽出された速報データ（０８０５）に基づいてニュース速報がコンテンツに重畳されることとなる。
【００３１】
（実施形態３：処理の流れ）本実施形態に係るコンテンツ出力装置における処理の流れは実施形態１又は２に係るコンテンツ出力装置における処理の流れと同様である。ただし、ステップＳ０６０１にて放送波を受信する際に、複数の放送波を受信可能である。また、ステップＳ０６０３にて受信した放送波から速報データを検出する際に、複数の放送波ごとに速報データを検出する。また、ステップＳ０６０４にて放送波から速報データを分離抽出する際に、複数の放送波ごとに速報データを分離抽出する。
【００３２】
（実施形態３：効果）本実施形態に係るコンテンツ出力装置は、複数の放送波を受信可能であり、例えば視聴中の放送番組等にニュース速報が放送されない場合でも、他の受信中のニュース速報を含む放送波から速報データを分離抽出し、視聴中の放送番組等にニュース速報が重畳出力されるので、視聴中の放送番組等にニュース速報が放送されない場合であってもニュース速報を見落としてしまう心配がない。
（実施形態４）
【００３３】
（実施形態４：概要）本実施形態は、視聴中の放送番組等に速報データが検出された場合には、重畳出力部にて重畳を行なわないことを特徴とするコンテンツ出力装置について説明する。
【００３４】
（実施形態４：構成）本実施形態に係るコンテンツ出力装置の構成は、実施形態３に係るコンテンツ出力装置の構成と同様である。ただし、ニュース速報を含む放送波を受信し、このコンテンツをコンテンツ出力部が出力している場合には、重畳出力部は、この放送波から分離抽出された速報データの重畳を行なわないことを特徴とする。
【００３５】
図９は、検出分離抽出部と重畳出力部における処理の具体例を示す。例えば、受信部（０９０１）にて放送波Ａと放送波Ｂを受信しているとする。放送波Ａには、ニュース速報を含む放送番組等の映像データや音声データ（０９０３）と「ｎｅｗｓ＿ｆｌａｇ＝１」の情報が含まれていたとする。また、放送波Ｂには、ニュース速報を含む放送番組等の映像データや音声データ（０９０４）と「ｎｅｗｓ＿ｆｌａｇ＝１」の情報が含まれていたとする。またコンテンツ出力部にて、放送波Ｂに含まれているニュース速報を含む放送番組等の映像データや音声データ（０９０４）を出力しているとする。この場合、検出分離抽出部（０９０２）では、放送波Ａに含まれていた「ｎｅｗｓ＿ｆｌａｇ＝１」の情報により放送波Ａには速報データが含まれていることが判る。また、放送波Ｂに含まれていた「ｎｅｗｓ＿ｆｌａｇ＝１」の情報により放送波Ｂにも速報データが含まれていることが判る。しかし、コンテンツ出力部（０９０６）にて放送波Ｂに含まれていたコンテンツ（０９０４）が出力されているので、重畳出力部（０９０７）では重畳を行なわないこととなる。なお、図９においては検出分離抽出部（０９０２）において放送波から速報データを分離抽出するよう図示しているが、重畳出力部（０９０７）にて重畳を行なわない場合には、分離抽出の処理が無駄となる。よって、例えば、先にコンテンツ出力部（０９０６）にていずれの放送波が出力されているかを検知しておき、まず、出力されている放送波にて変数ｎｅｗｓ＿ｆｌａｇの値を調べ、値が１であれば分離抽出処理も行なわないようになっていると、無駄な処理を省くことができる。
【００３６】
（実施形態４：処理の流れ）図１０は、本実施形態に係るコンテンツ出力装置における処理の流れを示すフロー図を例示する。
【００３７】
最初に、ステップＳ１００１において放送波を受信する。この処理は、主に受信部によって実行される。次に、ステップＳ１００２においてコンテンツを出力する。この処理は、主にコンテンツ出力部によって実行される。次に、ステップＳ１００３において出力しているコンテンツにニュース速報が含まれているかを判断する。ここでの判断が含まれているとの判断であった場合には、処理を終了する。ここでの判断が含まれていないとの判断であった場合には、ステップＳ１００４に移行する。
【００３８】
なお、ステップＳ１００４においては、他の受信した放送波から速報データを検出したかを判断する。ここでの判断が検出したとの判断であった場合には、ステップＳ１００５に移行する。ここでの判断が検出していないとの判断であった場合には、ステップＳ１００４を繰り返す。この処理は、主に検出分離抽出部によって実行される。ステップＳ１００５においては、ステップ放送波から速報データを分離抽出する。この処理は、主に検出分離抽出部によって実行される。また、ステップＳ１００６においては、出力中の放送波に速報データに基づいて構成されるニュース速報を重畳出力する。この処理は、主に重畳出力部によって実行される。
【００３９】
（実施形態４：効果）通常、ニュース速報の内容は複数の放送波においてほぼ同じ内容であるため、視聴中の放送番組等にニュース速報が放送されている場合には、他のニュース速報を重畳出力する必要性は低いと思われる。よって、本実施形態に係るコンテンツ出力装置は、このような場合にはニュース速報を重畳出力する処理は行なわないことにより不要な処理を行なわず、処理負荷の軽減を行なうことができる。
（実施形態５）
【００４０】
（実施形態５：概要）本実施形態は、放送波から抽出したニュース速報を出力しているコンテンツと独立に出力することを特徴とするコンテンツ出力装置について説明する。
【００４１】
（実施形態５：構成）本実施形態に係るコンテンツ出力装置の機能ブロック図を図１１に例示する。本実施形態に係るコンテンツ出力装置の構成は、実施形態１から４のいずれか一に係るコンテンツ出力装置の構成における重畳出力部に代えて「独立出力部」（１１０４）を加えた構成となっている。図１１においては、実施形態１にて説明したコンテンツ出力装置の構成において重畳出力部に代えて独立出力部（１１０４）を加えた構成を例示している。コンテンツ出力装置（１１００）は、「受信部」（１１０１）と、「検出分離抽出部」（１１０２）と、「コンテンツ出力部」（１１０３）と、「独立出力部」（１１０５）と、を有する。
【００４２】
「独立出力部」（１１０５）は、分離抽出した速報データに基づいて構成されるニュース速報をコンテンツ出力部（１１０３）とは独立に出力する。「分離抽出した速報データ」とは、検出分離抽出部（１１０２）にて放送波から分離抽出した速報データを指す。「コンテンツ出力部とは独立に出力する」とは、コンテンツ出力部にて出力されているコンテンツにニュース速報を重畳しないで出力することを意味する。
【００４３】
図１２は、ニュース速報をコンテンツ出力部とは独立に出力する場合の具体例を示す。コンテンツ出力装置のディスプレイ等においてコンテンツ（１２０１）を視聴していたとする。その際、受信している放送番組等にてニュース速報が放送されたとする（１２０２）。このような場合、コンテンツを出力している画面の中にニュース速報のみを表示するための別の領域を設けたり（１２０３）（いわゆるピクチャーインピクチャー等）、画面を左右又は上下等に分割して一方にコンテンツ、他方にニュース速報を表示したり（いわゆるダブルウインドウ等）する場合等が該当する。また、コンテンツを出力しているディスプレイとは別体のニュース速報表示用のディスプレイにてニュース速報を表示するようになっていてもよい（１２０４）。また、他の出力方法として、例えばインジケーターの点灯や点滅等によりニュース速報があることのみを示すようになっていてもよいし、プリンタ等に印字して出力する等となっていてもよい。また、ニュース速報を音声にて出力する場合にはコンテンツの音声を出力しているスピーカーとは別のスピーカーにてニュース速報を音声出力するようになっていてもよい。
【００４４】
（実施形態５：処理の流れ）図１３は、本実施形態に係るコンテンツ出力装置における処理の流れを示すフロー図を例示する。
【００４５】
最初に、ステップＳ１３０１において放送波を受信する。この処理は、主に受信部によって実行される。次に、ステップＳ１３０２においてコンテンツを出力する。この処理は、主にコンテンツ出力部によって実行される。次に、ステップＳ１３０３において受信した放送波から速報データを検出したかを判断する。ここでの判断が検出したとの判断であった場合には、ステップＳ１３０４に移行する。ここでの判断が検出していないとの判断であった場合には、ステップＳ１３０３を繰り返す。この処理は、主に検出分離抽出部によって実行される。次に、ステップＳ１３０４において放送波から速報データを分離抽出する。この処理は、主に検出分離抽出部によって実行される。次に、ステップＳ１３０５において分離抽出した速報データに基づいて構成されるニュース速報をコンテンツの出力とは独立に出力する。この処理は、主に独立出力部によって実行される。
【００４６】
（実施形態５：効果）本実施形態に係るコンテンツ出力装置は、コンテンツ出力とは独立してニュース速報を出力するため、ニュース速報が出力された場合にコンテンツの視聴者がニュース速報に気付きやすいという利点がある。例えばコンテンツの配色状況などによって、ニュース速報を重畳するとニュース速報の文字が見えにくい場合などに有用である。
（実施形態６）
【００４７】
（実施形態６：概要）本実施形態は、コンテンツ出力装置が待機電源モードとなっている際に、受信している放送波にニュース速報が含まれていることを検出した場合には、例えばコンテンツ出力装置の電源を通常状態として画面等に出力されているコンテンツにニュース速報を重畳して出力することが可能なコンテンツ出力装置について説明する。
【００４８】
（実施形態６：構成）本実施形態に係るコンテンツ出力装置の機能ブロック図を図１４に例示する。本実施形態に係るコンテンツ出力装置の構成は、実施形態１から５のいずれか一に係るコンテンツ出力装置の構成に「待機電源管理部」（１４０６）を加えた構成となっている。図１４においては、実施形態１にて説明したコンテンツ出力装置の構成に待機電源管理部（１４０６）を加えた構成を例示している。コンテンツ出力装置（１４００）は、「受信部」（１４０１）と、「検出分離抽出部」（１４０２）と、「コンテンツ出力部」（１４０３）と、「重畳出力部」（１４０４）と、「待機電源管理部」（１４０６）と、を有する。
【００４９】
「待機電源管理部」（１４０６）は、自身を待機電源モードとする機能を有する。「待機電源モード」とは、電力は供給されているが、通常時よりも省電力の状態とするモードである。「自身」とは、コンテンツ出力装置自身を意味する。
【００５０】
また、受信部（１４０１）と、検出分離抽出部（１４０２）とは、待機電源モードでも動作状態となるように構成されている。「動作状態となる」とは、処理を実行するという意味である。すなわち、コンテンツ出力装置が待機電源モードであっても放送波を受信し、受信している放送波からニュース速報を構成する速報データを検出し、分離抽出することが可能である。
【００５１】
図１５は、受信部と検出分離抽出部が待機電源モードにて動作する場合を例示する。まず、（ａ）において、コンテンツ出力装置は待機電源モードとなっており画面等（１５０１）にも何も表示されていない状態であるとする。しかしながら、受信部は動作しているため、受信部にて放送波を受信している（１５０２）。このような状態中に、（ｂ）において、ニュース速報を含んだ放送波（１５０３）を受信部にて受信したとする。また、この際、検出分離抽出部では放送波にニュース速報を構成する速報データを検出し、分離抽出する。（ｃ）において、例えばコンテンツ出力装置の電源を通常状態にして、画面等にニュース速報を重畳したコンテンツを出力する。通常のテレビ等では電源をＯＮにした時のチャンネルは、以前に電源をＯＦＦにした時に設定されていたチャンネルに合うようになっているが、電源をＯＮした時のチャンネルの映像等にてニュース速報が表示されなくとも、他の放送波にてニュース速報が放送されている場合にはニュース速報が表示中の映像等に重畳されて表示される。よって、チャンネルを変更等しなくとも、例えばコンテンツ出力装置の電源が通常状態になるとともに、即刻、ニュース速報がコンテンツに重畳されて出力されるため、利便性が高い。
【００５２】
（実施形態６：処理の流れ）本実施形態に係るコンテンツ出力装置における処理の流れは実施形態１から５のいずれか一に係るコンテンツ出力装置における処理の流れと同様である。
【００５３】
（実施形態６：効果）本実施形態に係るコンテンツ出力装置は、待機電源モードであっても放送波を受信し、受信した放送波から速報データを検出、分離抽出することが可能である。よって、例えば速報データを検出した場合には、コンテンツ出力装置の電源を通常状態にして、表示されるコンテンツにニュース速報を重畳出力することができる。
【図面の簡単な説明】
【００５４】
【図１】本発明の概要を示す一例図
【図２】実施形態１に係るコンテンツ出力装置の機能ブロック図
【図３】放送波の一例図
【図４】検出分離抽出部における処理の一例図
【図５】重畳出力部における処理の一例図
【図６】実施形態１に係るコンテンツ出力装置の処理の流れを示すフロー図
【図７】実施形態２に係るコンテンツ出力装置の機能ブロック図
【図８】受信部と検出分離抽出部における処理の一例図
【図９】検出分離抽出部と重畳出力部における処理の一例図
【図１０】実施形態４に係るコンテンツ出力装置の処理の流れを示すフロー図
【図１１】実施形態５に係るコンテンツ出力装置の機能ブロック図
【図１２】ニュース速報をコンテンツ出力部とは独立に出力する場合の一例図
【図１３】実施形態５に係るコンテンツ出力装置の処理の流れを示すフロー図
【図１４】実施形態６に係るコンテンツ出力装置の機能ブロック図
【図１５】受信部と検出分離抽出部が待機電源モードにて動作する場合の一例図
【図１６】一般的なコンピュータの構成を表す一例図
【図１７】デジタル放送波の受信処理の概要を示す一例図
【符号の説明】
【００５５】
０１０１  コンテンツ
０１０２  ニュース速報を含む放送波
０１０３  ニュース速報が重畳されたコンテンツ
【図１】
2007295439.tif 000003
【図２】
2007295439.tif 000004
【図３】
2007295439.tif 000005
【図４】
2007295439.tif 000006
【図５】
2007295439.tif 000007
【図６】
2007295439.tif 000008
【図７】
2007295439.tif 000009
【図８】
2007295439.tif 000010
【図９】
2007295439.tif 000011
【図１０】
2007295439.tif 000012
【図１１】
2007295439.tif 000013
【図１２】
2007295439.tif 000014
【図１３】
2007295439.tif 000015
【図１４】
2007295439.tif 000016
【図１５】
2007295439.tif 000017
【図１６】
2007295439.tif 000018
【図１７】
2007295439.tif 000019